(57)【要約】【課題】高い気密性を備えて、どのような壁体にも埋め込んで設置することのできる照明器具を提供して、壁体内と室内との気密を保持し、壁体内の化学物質による室内環境汚染を防ぐ。【解決手段】足下灯１０のシャーシ１は、周縁部に外側へ張り出す鍔状のフランジ１１を有し、光源を備える。また、シャーシ１のフランジ１１の正面側には周縁部に沿って連続する嵌合凸部１６が設けられる。前面カバー２は、シャーシ１の周縁部に取り付けられて全体を閉塞し、光源からの光を外部に発する透光部２１を備える。前面カバー２の裏側には周縁方向に連続して嵌合凸部１６に嵌合しうる嵌合凹部３３が設けられる。そして、嵌合凹部３３は、ゴム弾性体により形成されてパッキンを構成し、嵌合凸部１６に嵌合して圧着されることによって壁体９内と室内との気密を保持する。【選択図】  図８
2004311104.tif 000002
【特許請求の範囲】
【請求項１】
室内の壁体に設けられた開口部に埋め込まれて室内を照射する照明器具であって、
内部に光源を備えるとともに、周縁部に外側へ張り出す鍔状のフランジを備えて壁体の開口部に取り付けられるシャーシと、
このシャーシの周縁部に取り付けられて、シャーシの正面側を閉塞するとともに、光源からの光を外部に発する透光部を備えた前面カバーとを有し、
ゴム弾性体により形成されたパッキンが、前面カバー裏側の周縁部に沿って連続するように備えられ、前面カバーと壁体表面との間に圧着されることによって壁体内と室内との気密が保持されることを特徴とする照明器具。
【請求項２】
室内の壁体に設けられた開口部に埋め込まれて室内を照射する照明器具であって、
内部に光源を備えるとともに、周縁部に外側へ張り出す鍔状のフランジを備えて壁体の開口部に取り付けられるシャーシと、
このシャーシの周縁部に取り付けられて、シャーシの正面側を閉塞するとともに、光源からの光を外部に発する透光部を備えた前面カバーとを有し、
シャーシのフランジには周縁部に沿って連続する気密凸部が正面側に延設され、この気密凸部と前面カバーの裏側との間にゴム弾性体により形成された第１のパッキンが周縁部に沿って連続するように介装されることによって、室内とシャーシとの気密が保持され、
シャーシのフランジ裏側と壁体表面との間にゴム弾性体により形成された第２のパッキンが周縁部に沿って連続するように介装されることによって、シャーシと壁体内との気密が保持されることを特徴とする照明器具。
【請求項３】
室内の壁体に設けられた開口部に埋め込まれて室内を照射する照明器具であって、
内部に光源を備えるとともに、周縁部に外側へ張り出す鍔状のフランジを備えて壁体の開口部に取り付けられるシャーシと、
このシャーシの周縁部に取り付けられて、シャーシの正面側を閉塞するとともに、光源からの光を外部に発する透光部を備えた前面カバーとを有し、
シャーシのフランジの正面側には周縁部に沿って連続する嵌合凸部が設けられるとともに、前面カバーの裏側には周縁部に沿って連続して前記嵌合凸部に嵌合しうる嵌合凹部が設けられ、
この嵌合凹部がゴム弾性体により形成されてパッキンを構成し、前記シャーシの嵌合凸部に嵌合して圧着されることにより壁体内と室内との気密が保持されることを特徴とする照明器具。
【発明の詳細な説明】
【０００１】
【発明の属する技術分野】
この発明は、室内の壁面に取り付けられて壁体内と室内との気密性を保持する照明器具に関する。
【０００２】
【従来の技術】
近年、室内の高気密化や化学物質を放散する内装材や接着剤等の使用によって室内環境が汚染され、これにより居住者に様々な体調不良を引き起こす、いわゆるシックハウスの被害が多く報告されている。そこで、最近では、このようなシックハウスの直接の原因となりうる化学物質を発散しない内装材等を使用することが求められるようになってきている。
【０００３】
しかし、化学物質を発散しない内装材等を使用していても、壁体内に使用されている建材から化学物質が発散されるおそれもあり、スイッチボックスや足下灯などの電気系設備と、これを取り付けるために設けられた壁体の開口部との隙間から、壁体内の化学物質が室内に流入することも考えられる。したがって、室内環境汚染を防ぐには、室内側の内装材等に対する配慮だけでなく、さらに壁体の開口部における気密性も高めて、壁体内の建材から発散される化学物質が室内に流入するのを防ぐことが好ましい。
【０００４】
従来、壁体表面に取り付けられた電気系設備においては、気密性にほとんど着目されていないが、かかる設備に気密性を付与するに近いものとして例えば特許文献１に、ＬＳＩ生産工場等にて塵埃類の侵入を防ぐ防塵パッキンの技術が開示されている。
【０００５】
この防塵パッキンは、箱状のパッキン本体と、この本体の開口部の全周に一体に設けられた固定フランジ板とから構成されて、壁体に設けられたコンセントボックス内に挿入されるものである。これにより、電線管を通ってボックス内に侵入する塵埃類が室内に入り込むのを防止している。また、このパッキン本体の周壁は、伸縮可能な構造とされて、種々のボックスの大きさに対応しうるものとされている。
【０００６】
【特許文献１】
特開平７−２７４３４６号公報
【０００７】
【発明が解決しようとする課題】
前記特許文献１に記載の技術では、パッキン本体の周壁が伸縮可能とされていても、この種のパッキンを挿入できる電気系設備のボックスの大きさが限られ、例えばユニット構法による住宅のように厚さの薄い壁パネルを用いた建物においては、ボックスの奥行きも浅いためパッキンが納まらない場合がある。また、壁面に設けられる電気系設備の中には、かかるボックスを備えないものもあって、このようなものには適用できない。
【０００８】
さらに、足下灯などの壁体に埋設して取り付けられる照明器具では、電球の取り替え作業にともなって壁体表面に取り付けられた前面カバーを取り外すことがある。このため、前面カバーが着脱容易であるとともに、取り付けたときに気密性を有することが望まれる。
【０００９】
本発明は以上のような事情にかんがみてなされたものであり、高い気密性を備えて、どのような壁体にも埋め込んで設置することのできる照明器具を提供して、壁体内と室内との気密を保持し、壁体内の化学物質による室内環境汚染を防ぐことを目的とする。
【００１０】
【課題を解決するための手段】
前記の目的を達成するため、本発明は、室内の壁体に設けられた開口部に埋め込まれて室内を照射する照明器具であって、内部に光源を備えるとともに、周縁部に外側へ張り出す鍔状のフランジを備えて壁体の開口部に取り付けられるシャーシと、このシャーシの周縁部に取り付けられて、シャーシの正面側を閉塞するとともに、光源からの光を外部に発する透光部を備えた前面カバーとを有し、ゴム弾性体により形成されたパッキンが、前面カバー裏側の周縁部に沿って連続するように備えられ、前面カバーと壁体表面との間に圧着されることによって壁体内と室内との気密が保持されることを特徴とする。
【００１１】
この発明によれば、前面カバーをシャーシに取り付けたとき、パッキンが前面カバーの裏側で壁体に密着して壁体の開口部からの空気の流入を遮断し、高い気密性を得ることができる。そして、かかるパッキンは前面カバーの裏側において前面カバーと壁体表面との間に介装される構成であるので、どのような大きさ・形状の照明器具にも適用して気密性を付与することができる。
【００１２】
また、本発明は、室内の壁体に設けられた開口部に埋め込まれて室内を照射する照明器具であって、内部に光源を備えるとともに、周縁部に外側へ張り出す鍔状のフランジを備えて壁体の開口部に取り付けられるシャーシと、このシャーシの周縁部に取り付けられて、シャーシの正面側を閉塞するとともに、光源からの光を外部に発する透光部を備えた前面カバーとを有し、シャーシのフランジには周縁部に沿って連続する気密凸部が正面側に延設され、この気密凸部と前面カバーの裏側との間にゴム弾性体により形成された第１のパッキンが周縁部に沿って連続するように介装されることによって、室内とシャーシとの気密が保持され、
シャーシのフランジ裏側と壁体表面との間にゴム弾性体により形成された第２のパッキンが周縁部に沿って連続するように介装されることによって、シャーシと壁体内との気密が保持されることを特徴とする。
【００１３】
この発明によれば、前面カバーをシャーシに取り付けたとき、シャーシの気密凸部が第１のパッキンに当接して密着することでシャーシと前面カバーとの気密を保持し、また第２のパッキンが壁体表面に密着して、シャーシと壁体との気密を保持する。したがって、このような本発明においても、これらのパッキンが壁体内からの空気の流入を遮断して、高い気密性を得ることができる。
【００１４】
また、本発明は、室内の壁体に設けられた開口部に埋め込まれて室内を照射する照明器具であって、内部に光源を備えるとともに、周縁部に外側へ張り出す鍔状のフランジを備えて壁体の開口部に取り付けられるシャーシと、このシャーシの周縁部に取り付けられて、シャーシの正面側を閉塞するとともに、光源からの光を外部に発する透光部を備えた前面カバーとを有し、シャーシのフランジの正面側には周縁部に沿って連続する嵌合凸部が設けられるとともに、前面カバーの裏側には周縁部に沿って連続して前記嵌合凸部に嵌合しうる嵌合凹部が設けられ、この嵌合凹部がゴム弾性体により形成されてパッキンを構成し、前記シャーシの嵌合凸部に嵌合して圧着されることにより壁体内と室内との気密が保持されることを特徴とする。
【００１５】
この発明によれば、前面カバーは、前面カバーに設けられた嵌合凹部をシャーシの嵌合凸部に嵌め込むことで、シャーシに容易に取り付けることができる。そして、このように前面カバーをシャーシに取り付けることで、ゴム弾性体からなる嵌合凹部が、嵌合凸部周囲の壁体及びシャーシの内側に密着して壁体内からの空気の流入を遮断し、高い気密性を得ることができる。
【００１６】
【発明の実施の形態】
以下、本発明に係る照明器具の実施の形態について、図面を参照しつつ説明する。なお、以下の各実施の形態においては、本発明が図１に示されるような室内の壁面下部に設けられて室内を照射する足下灯に適用された場合について説明するが、本発明は足下灯に限られず、壁体の開口部に埋め込まれるどのような照明器具にも適用することができる。
【００１７】
＜第１の実施の形態＞
図２から図４は本発明の第１の実施の形態を示す。図２は足下灯の前面カバーの裏面図、図３は足下灯の縦断面図、図４は足下灯の部分拡大断面図である。
【００１８】
図１に示すように、足下灯１０は、シャーシ１と、このシャーシ１に取り付けられる前面カバー２とを備えている。シャーシ１には、光源となるランプ１２、ソケット１３、及び接続端子１４が設けられている。
【００１９】
また、図示するようにシャーシ１は、周縁部に外側へ張り出す鍔状のフランジ１１を備えるとともに、中央部が開口して、備えられたランプ１２が露出するように構成されている。
【００２０】
壁体９の開口部９１の周囲には、あらかじめ足下灯１０を取り付けるための図示しない取付プレートが固定されている。開口部９１には、電源線等の配線が接続されている。この電源線をシャーシ１の裏面の接続端子に挿し込んで、電源が供給されている。シャーシ１は、取付ねじ等を用いて前記の取付プレートとねじ止めされ、壁体９の表面に取り付けられる。また、シャーシ１には、上縁部と下縁部にそれぞれ２箇所ずつ係止凹部１５が形成されている。
【００２１】
図２に示すように前面カバー２は、シャーシ１よりもひとまわり大きく形成されてシャーシ１の正面側を閉塞しうるように構成されている。この前面カバー２には、ランプ１２の光を外部に発する透光部２１が設けられ、この透光部２１を除く部分は遮光性を備えて形成されている。また、これらの透光部２１と遮光性を備えた部分とは隙間なく一体に成形されている。
【００２２】
前面カバー２には、上縁部と下縁部にそれぞれ２箇所ずつ係止爪２２が形成されている。これらの係止爪２２はシャーシ１の係止凹部１５に係止して、前面カバー２がシャーシ１の周縁部に取り付けられるとともに、取り外すことも可能に形成されている。
【００２３】
また、この前面カバー２の裏側には、リブ２４が周縁部に沿って連続するように設けられている。そして、このリブ２４の全周に、ゴム弾性体により断面矩形状に形成されたパッキン３１が連続して備えられている。
【００２４】
例示の形態では、ゴム弾性体としてシリコンゴムが採用されている。パッキン３１の材料として用いられるゴム弾性体としては、このシリコンゴムのほかに、エチレンプロピレンゴム、ポリブタジエンゴム、ポリイソプレンゴム、クロロプレンゴム、スチレンブタジエン共重合体ゴム、ニトリルゴム等の各種合成ゴム、天然ゴム、あるいはウレタンゴム、エピクロロヒドリンゴム等のゴムに類した弾性を有する各種エラストマーなども適している。
【００２５】
図３に示すように、このパッキン３１は、前面カバー２がシャーシ１に取り付けられたとき、シャーシ１のフランジ１１の外側に位置した壁体９の表面との間に圧着されて、開口部９１から室内への空気の流入を遮断する作用をなす。これにより、壁体９内と室内との気密が保持されることになる。
【００２６】
また、ランプ１２を取り替える際には、前面カバー２の下面に設けられた外し溝２３にマイナスドライバ等の工具を差し込んで係止爪２２と係止凹部１５との係止状態を解除し、前面カバー２をシャーシ１から取り外すことが可能となる。
【００２７】
なお、ランプ１２には広く一般に使用されている電球だけでなく、発光ダイオードランプ等を採用することも可能である。また、前面カバー２に明るさセンサを設置して、室内が暗くなれば光源が点灯し、明るくなれば消灯するように構成してもよい。また、電源コンセントやスイッチ等を付加してもよい。ただし、電源コンセントやスイッチ等の設置のために前面カバー２に開口部を設ける場合には、その開口部にも同様のパッキンを設けることが必要とされる。
【００２８】
＜第２の実施の形態＞
本実施の形態の足下灯は、図２から図４に示した第１の実施の形態とシャーシ及び前面カバーの基本構成はほぼ同様であるが、気密を保持するパッキンの構成が異なっている。よって、前記第１の実施の形態と共通する部分については同一の符号を付して説明を省略し、本実施の形態のパッキン部分について詳述する。
【００２９】
図５及び図６は本発明の第２の実施の形態を示し、図５は足下灯のシャーシの正面図、図６は足下灯の部分拡大断面図である。
【００３０】
本実施の形態において、パッキン３２は、シャーシ１及び前面カバー２の双方にそれぞれ設けられている。図示するように、このシャーシ１のフランジ１１は、周縁部に沿って連続する気密凸部１１１が正面側に延設されている。また、前面カバー２の裏側には、２条のリブ２５が周縁部に沿って連続するように設けられ、両リブ２５の間隔はシャーシ１の気密凸部１１１よりも広く設けられている。
【００３１】
図６に示すように、この前面カバー２の両リブ２５間には、ゴム弾性体により形成された第１のパッキン３２が嵌め込まれて一体成形されている。また、シャーシ１のフランジ１１の裏面には、ゴム弾性体により形成されて周縁部に沿って連続する第２のパッキン３２が備えられている。
【００３２】
これにより、前面カバー２がシャーシ１に取り付けられたとき、第１のパッキン３２にシャーシ１の気密凸部１１１が押さえつけられてパッキン３２に食い込み、両者が密着してシャーシ１と室内との間の気密を保持する。また、第２のパッキンはシャーシ１の裏面に位置する壁体９の表面に圧着されて、壁体９内と室内との間の気密を保持する。この結果、壁体９の開口部９１から室内への空気の流入が完全に遮断される。
【００３３】
なお、これらのシャーシ１と前面カバー２とは、前記第１の実施の形態と同様に、シャーシ１の係止凹部１５と、前面カバー２の係止爪２２との係止によって着脱可能に固定されている。
【００３４】
＜第３の実施の形態＞
本実施の形態の足下灯は、前記第２の実施の形態とシャーシ及び前面カバーの基本構成はほぼ同様であるが、前面カバーとシャーシとの取付構造が異なり、パッキンは前面カバーだけに設けられている。よって、前記実施の形態と共通する部分については同一の符号を付して説明を省略し、本実施の形態に特有の部分について詳述する。
【００３５】
図７から図１０は本発明の第３の実施の形態を示し、図７は前面カバーの裏面図、図８はシャーシの正面図、図９は足下灯の縦断面図、図１０は足下灯の部分拡大断面図である。
【００３６】
本実施の形態において、シャーシ１のフランジ１１には、周縁部に沿って連続する嵌合凸部１６が正面側に延設されている。また、前面カバー２の裏側には、シャーシ１の嵌合凸部１６に嵌合しうる嵌合凹部３３が周縁部に沿って連続して設けられている。そして、この嵌合凹部３３がゴム弾性体により形成されて嵌合凸部１６の全体を被覆しうるパッキンを構成している。
【００３７】
前面カバー２をシャーシ１に取り付けるには、図８に示すように、シャーシ１の嵌合凸部１６に前面カバー２の嵌合凹部３３を嵌合させることによって行う。そして、図１０に示すように、このようにシャーシ１に前面カバー２を取り付けるだけで、前面カバー２と壁体９の表面、及び前面カバー２とシャーシ１の表面との間で、ゴム弾性体により形成された嵌合凹部３３が圧着されて、壁体内と室内との気密を保持することができるようになる。
【００３８】
このように、本発明に係る照明器具は、シャーシ又は前面カバーに設けられたパッキンによって壁体内と室内との気密を保持し、壁体内の化学物質が室内に流入するのを防止する。また、パッキンが前記のような構成とされることで、壁体に埋め込まれるどのような照明器具にも適用することができて、施工作業も容易であり、その光源の取り替えにも対応することができる。
【００３９】
【発明の効果】
以上説明したように、本発明に係る照明器具によれば、光源を備えたシャーシと、このシャーシを閉塞する透光部を備えた前面カバーとを有し、ゴム弾性体により形成されたパッキンが、前面カバー裏側と壁体表面との間において周縁部に沿って連続するように介装されるので、前面カバーをシャーシに取り付けるだけで、パッキンを壁体表面に圧着して壁体内と室内との気密を保持することができる。
【００４０】
また、本発明に係る照明器具は、シャーシのフランジの正面側に気密凸部を備え、前面カバーの裏側と前記気密凸部との間に第１のパッキンが介装される。加えて、シャーシのフランジと壁体表面との間にも、第２のパッキンが介装される。したがって、前面カバーをシャーシに取り付け、第１及び第２のパッキンが圧着されることによって、シャーシと前面カバーとの間、及び壁体の開口部とシャーシとの間の気密が保持されて、室内への化学物質の流入を防ぐことができる。
【００４１】
また、本発明に係る照明器具は、シャーシのフランジの正面側に嵌合凸部が設けられ、前面カバーの裏側に前記嵌合凸部に嵌合しうる嵌合凹部が設けられて、この嵌合凹部がゴム弾性体により形成されてパッキンを構成する。これにより、シャーシの嵌合凸部に、前面カバーの嵌合凹部を嵌合させるだけで、シャーシに前面カバーを取り付けることができ、これと同時に壁体内と室内との気密を保持することができる。
【００４２】
このように、本発明に係る照明器具はいずれも高い気密性能を備え、どのような壁体にも埋め込んで設置することが可能であり、室内環境汚染を防ぐことができる。
【図面の簡単な説明】
【図１】照明器具の一例としての足下灯の分解斜視図である。
【図２】本発明に係る照明器具の第１の実施の形態における前面カバーの裏面図である。
【図３】前記照明器具の縦断面図である。
【図４】前記照明器具の部分拡大断面図である。
【図５】本発明に係る照明器具の第２の実施の形態におけるシャーシの正面図である。
【図６】前記照明器具の部分拡大断面図である。
【図７】本発明に係る照明器具の第３の実施の形態における前面カバーの裏面図である。
【図８】前記照明器具におけるシャーシの正面図である。
【図９】前記照明器具の縦断面図である。
【図１０】前記照明器具の部分拡大断面図である。
【符号の説明】
１０  照明器具（足下灯）
１    シャーシ
１１  フランジ
１１１  気密凸部
１２  光源（ランプ）
１６  嵌合凸部
２    前面カバー
２１  透光部
３１，３２  パッキン
３３  嵌合凹部
９    壁体
９１  開口部
【図１】
2004311104.tif 000003
【図２】
2004311104.tif 000004
【図３】
2004311104.tif 000005
【図４】
2004311104.tif 000006
【図５】
2004311104.tif 000007
【図６】
2004311104.tif 000008
【図７】
2004311104.tif 000009
【図８】
2004311104.tif 000010
【図９】
2004311104.tif 000011
【図１０】
2004311104.tif 000012